(57)【要約】【課題】  計数機能付き台間玉貸し機に関し、玉検出センサによる遊技玉の検出後、予め設定された時間の経過後、駆動源の駆動を停止させ、シャッタ機構を閉状態に復帰させることで、玉計数部を保護することを課題とする。【解決手段】  台間玉貸し機(30)は、玉受け皿(300)、玉計数装置(400)、玉計数制御手段(800)を備える。玉計数装置(400)には、玉通路(410)、玉検出センサ(422)、玉計数制御手段(800)に接続された駆動源(460)の駆動力により、玉通路(410)を開放し、遊技玉(B)の流下を許容する開状態を有するシャッタ機構(430)、シャッタ機構(430)の下流側に位置し、玉通路(410)を流下する遊技玉(B)を計数する玉計数部(440)を備える。玉計数制御手段(800)は、玉検出センサ(422)による遊技玉(B)の検出後、予め設定された時間の経過後、駆動源(460)の駆動を停止させるタイマー手段(811)を備える。【選択図】    図２４
2019000698.tif 000002
【特許請求の範囲】
【請求項１】
遊技機から排出される遊技玉を受け入れる玉受け皿と、
前記玉受け皿から排出された遊技玉を計数する玉計数装置と、
前記玉計数装置を制御する計数制御手段と、
を備えた計数機能付き台間玉貸し機において、
前記玉計数装置には、
前記玉受け皿から排出された遊技玉が流下する玉通路と、
前記計数制御手段に接続され、前記玉通路を流下する遊技玉を検出する玉検出センサと、
前記玉通路において、前記玉検出センサの下流側に位置し、前記玉通路において流下する遊技玉の流下を阻止する閉状態、及び前記計数制御手段に接続された駆動源の駆動力により、前記玉通路を開放し、遊技玉の流下を許容する開状態を有するシャッタ機構と、
前記計数制御手段に接続され、前記玉通路において、前記シャッタ機構の下流側に位置し、前記玉通路を流下する遊技玉を計数する玉計数部と、
を備え、
前記計数制御手段は、
前記玉検出センサによる遊技玉の検出後、予め設定された時間の経過後、前記駆動源の駆動を停止させるタイマー手段を備えている、
ことを特徴とする台間玉貸し機。
【請求項２】
前記玉計数部は、
第１センサと、
前記第１センサの下流側に位置する第２センサと、
から構成され、
前記計数制御手段には、
前記玉検出センサによる遊技玉の検出を条件に、前記駆動源を駆動させ、前記シャッタ機構を前記閉状態から開状態にするシャッタ機構駆動制御手段と、
前記第１センサにより遊技玉を検出後、前記第２センサにより遊技玉を検出したことを条件に、遊技玉数を加算し、前記第２センサにより遊技玉を検出後、前記第１センサにより遊技玉を検出したことを条件に、遊技玉数を減算する玉数加減算手段と、
を備えている、
ことを特徴とする請求項１に記載の台間玉貸し機。
【発明の詳細な説明】
【技術分野】
【０００１】
この発明は、計数機能付き台間玉貸し機に関し、玉検出部により遊技球の流れを検知してシャッタ機構を開閉するとともに、当該シャッタ機構の下流側に一対のセンサから構成される玉計数部を配置し、遊技玉の流下方向により遊技玉数を増減することで、不正な玉計数を未然に防止することができるようにしたものである。
【背景技術】
【０００２】
従来、玉計数器のパチンコ玉の入口側には、玉通路を遮断するためのシャッタ機構と、シャッタ機構に接続されたスプリングと、リミットスイッチが設けられ、一方、中央部には、このシャッタ機構を開閉するためのＤＣソレノイドが設置されている「玉計数機能付き台間玉貸機」が知られている（特許文献１の段落番号「００１９」の前段及び図６参照）。
また、上記した従来の台間玉貸機は、玉計数器の入口にシャッタ機構を設けることにより、台間玉貸機が取り外されたり、玉計数器のハードやソフトが故障して玉計数不能となったとき、シャッタ機構を閉じることができるようにしていた（特許文献１の段落番号「００１９」の後段及び図６参照）。
【０００３】
さらに、上記した従来の台間玉貸機は、玉計数センサに対して、パチンコ台で不正に遊技しようとする不正者がパチンコ玉に類似する球を多数数珠状に繋いだ不正具を、玉計数センサに通して計数させた後、引き抜いて計数だけを増加させようとしても、それを引き抜くことができないようにして不正行為を防止する不正具使用防止爪が、玉計数センサの上流側に設置されている（特許文献１の段落番号「００１６」）。
そして、上記した従来の台間玉貸機は、不正具使用防止爪を、パチンコ玉が玉計数センサ側に流入する方向に対しては回転を許容するが、上記のような不正具を入れそれを引き抜こうとしたとき、逆方向には回転不可に構成されている（特許文献１の段落番号「００１７」）。
【先行技術文献】
【特許文献】
【０００４】
【特許文献１】特開平10-249047号公報
【発明の概要】
【発明が解決しようとする課題】
【０００５】
しかし、上記した従来の台間玉貸機は、玉計数センサの上流側に不正具使用防止爪を設置し、不正具の引き抜きを機械的に阻止しているが、仮に不正具使用防止爪を避けて不正具の引き抜きが行われた場合に、玉計数センサが無防備であるという問題点があった。
そこで、各請求項にそれぞれ記載された各発明は、上記した従来の技術の有する問題点に鑑みてなされたものであり、その目的とするところは、次の点にある。
【０００６】
（請求項１）
請求項１に記載の発明は、次の点を目的とする。
すなわち、請求項１に記載の発明は、玉検出センサによる遊技玉の検出後、予め設定された時間の経過後、駆動源の駆動を停止させ、シャッタ機構を閉状態に復帰させることで、玉計数部を保護することができるようにしたものである。
【０００７】
（請求項２）
請求項２に記載の発明は、上記した請求項１に記載の発明の目的に加え、次の点を目的とする。
すなわち、請求項２に記載の発明は、玉検出部により遊技球の流れを検知してシャッタ機構を開閉するとともに、当該シャッタ機構の下流側に一対のセンサから構成される玉計数部を配置し、遊技玉の流下方向により遊技玉数を増減することで、不正な玉計数を未然に防止することができるようにしたものである。
【０００８】
（他の特徴）
他の特徴に係る発明は、上記請求項１又は請求項２に記載の発明の目的に加え、次の点を目的とする。
すなわち、他の特徴に係る発明は、玉検出センサ、シャッタ機構及び玉計数部を複数列のレーン毎に独立させて制御することで、複数のレーンの一部が、シャッタ機構により遊技玉の流下が阻止された状態となっても、残る一部のレーンにおいて計数を継続することができるようにしたものである。
【０００９】
例えば、一部のレーンにおいて、当該レーンの底とシャッタ機構との間に遊技玉が噛み込み、遊技玉の流下が阻止された状態となった場合に、店員を呼び、遊技玉の噛み込み状態を解消してもらう必要があった。
これに対し、他の特徴に係る発明によれば、残る一部のレーンにおいて計数を継続することができることから、遊技者の待ち時間を短縮でき、トラブルの発生を未然に防止することができる。
【課題を解決するための手段】
【００１０】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
【００１１】
（請求項１）
請求項１に記載の発明は、次の点を特徴とする。
第１に、計数機能付き台間玉貸し機(30)は、例えば図２、図３、図５、図１１及び図２４に示すように、次の構成を備える。
（１）玉受け皿(300)
玉受け皿(300)は、例えば図２及び図３に示すように、遊技機(20)から排出される遊技玉(B)を受け入れるものである。
（２）玉計数装置(400)
玉計数装置(400)は、例えば図３、図５及び図１１に示すように、玉受け皿(300)から排出された遊技玉(B)を計数するものである。
（３）玉計数制御手段(800)
玉計数制御手段(800)は、例えば図２４に示すように、玉計数装置(400)を制御するものである。
【００１２】
第２に、玉計数装置(400)には、例えば図７、図１１、図１２、図２２及び図２４に示すように、次の構成を備える。
（４）玉通路(410)
玉通路(410)は、図１１に示すように、玉受け皿(300)から排出された遊技玉(B)が流下するものである。
（５）玉検出センサ(422)
玉検出センサ(422)は、例えば図２２及び図２４に示すように、玉計数制御手段(800)に接続され、玉通路(410)を流下する遊技玉(B)を検出するものである。
【００１３】
（６）シャッタ機構(430)
シャッタ機構(430)は、例えば図１１〜図１９及び図２２に示すように、玉通路(410)において、玉検出センサ(422)の下流側に位置し、玉通路(410)において流下する遊技玉(B)の流下を阻止する閉状態、及び玉計数制御手段(800)に接続された駆動源(460)の駆動力により、例えば図１２に示すように、玉通路(410)を開放し、遊技玉(B)の流下を許容する開状態を有するものである。
【００１４】
（７）玉計数部(440)
玉計数部(440)は、例えば図２２及び図２４に示すように、玉計数制御手段(800)に接続され、玉通路(410)において、シャッタ機構(430)の下流側に位置し、玉通路(410)を流下する遊技玉(B)を計数するものである。
【００１５】
【００１６】
【００１７】
第３に、玉計数制御手段(800)は、例えば図２４及び図２５に示すように、玉検出センサ(422)による遊技玉(B)の検出後、予め設定された時間の経過後、駆動源(460)の駆動を停止させるタイマー手段(811)を備えている。
（請求項２）
請求項２に記載の発明は、上記した請求項１に記載の発明の特徴点に加え、次の点を特徴とする。
第１に、玉計数部(440)は、例えば図２２に示すように、次の構成から構成されている。
（１）第１センサ(441)
（２）第２センサ(442)
第２センサ(442)は、例えば図２２に示すように、第１センサ(441)の下流側に位置するものである。
第２に、玉計数制御手段(800)には、例えば図２４に示すように、次の構成から構成されている。
（３）シャッタ駆動制御手段(610)
シャッタ駆動制御手段(610)は、例えば図２５に示すように、玉検出センサ(422)による遊技玉(B)の検出を条件に、駆動源(460)を駆動させ、シャッタ機構(430)を閉状態から開状態にするものである。
（４）玉数加減算手段(620)
玉数加減算手段(620)は、例えば図２３及び図２５に示すように、第１センサ(441)により遊技玉(B)を検出後、第２センサ(442)により遊技玉(B)を検出したことを条件に、玉数を加算し、例えば図２３及び図２６に示すように、第２センサ(442)により遊技玉(B)を検出後、第１センサ(441)により遊技玉(B)を検出したことを条件に、玉数を減算するものである。
【００１８】
（他の特徴）
他の特徴に係る発明は、上記した請求項１又は請求項２に記載の発明の特徴点に加え、次の点を特徴とする。
第１に、玉通路(410)は、例えば図１１に示すように、遊技玉(B)が個別に流下可能な複数列のレーン(411,412)に分かれている。
第２に、各レーン(411,412)には、例えば図１１及び図２２に示すように、玉検出センサ(422)、シャッタ機構(430)及び玉計数部(440)を独立して設けている。
第３に、玉計数制御手段(800)は、玉検出センサ(422)、シャッタ機構(430)及び玉計数部(440)をレーン(411,412)毎に独立させて制御している。
【発明の効果】
【００１９】
本発明は、以上のように構成されているので、以下に記載されるような効果を奏する。
（請求項１）
請求項１に記載の発明によれば、次のような効果を奏する。
すなわち、請求項１に記載の発明によれば、玉検出センサによる遊技玉の検出後、予め設定された時間の経過後、駆動源の駆動を停止させ、シャッタ機構を閉状態に復帰させることで、玉計数部を保護することができる。
【００２０】
（請求項２）
請求項２に記載の発明によれば、上記した請求項１に記載の発明の効果に加え、次のような効果を奏する。
すなわち、請求項２に記載の発明によれば、玉検出部により遊技球の流れを検知してシャッタ機構を開閉するとともに、当該シャッタ機構の下流側に一対のセンサから構成される玉計数部を配置し、遊技玉の流下方向により遊技玉数を増減することで、不正な玉計数を未然に防止することができる。
【００２１】
（他の特徴）
他の特徴に係る発明によれば、上記した請求項１又は請求項２に記載の発明の効果に加え、次のような効果を奏する。
すなわち、他の特徴に係る発明によれば、玉検出センサ、シャッタ機構及び玉計数部を複数列のレーン毎に独立させて制御することで、複数のレーンの一部が、シャッタ機構により遊技玉の流下が阻止された状態となっても、残る一部のレーンにおいて計数を継続することができる。
【００２２】
例えば、一部のレーンにおいて、当該レーンの底とシャッタ機構との間に遊技玉が噛み込み、遊技玉の流下が阻止された状態となった場合に、店員を呼び、遊技玉の噛み込み状態を解消してもらう必要があった。
これに対し、他の特徴に係る発明によれば、残る一部のレーンにおいて計数を継続することができることから、遊技者の待ち時間を短縮でき、トラブルの発生を未然に防止することができる。
【図面の簡単な説明】
【００２３】
【図１】本発明の第１の実施の形態であって、遊技場の景品交換システムの概略ブロック図である。
【図２】本発明の第１の実施の形態であって、遊技場の景品交換システムの概略構成図である。
【図３】本発明の第１の実施の形態であって、台間玉貸し機の概略斜視図である。
【図４】本発明の第１の実施の形態であって、台間玉貸し機の他の概略斜視図である。
【図５】本発明の第１の実施の形態であって、図３に対応し、台間玉貸し機の分解斜視図である。
【図６】本発明の第１の実施の形態であって、図４に対応し、台間玉貸し機の分解斜視図である。
【図７】本発明の第１の実施の形態であって、図５に対応し、玉受け皿及び玉計数装置の分解斜視図である。
【図８】本発明の第１の実施の形態であって、図６に対応し、玉受け皿及び玉計数装置の分解斜視図である。
【図９】本発明の第１の実施の形態であって、図７に対応し、玉計数装置の斜視図である。
【図１０】本発明の第１の実施の形態であって、図８に対応し、玉計数装置の斜視図である。
【図１１】本発明の第１の実施の形態であって、玉計数装置のシャッタ機構において、閉状態を説明するための斜視図である。
【図１２】本発明の第１の実施の形態であって、図１１に対応し、玉計数装置のシャッタ機構において、開状態を説明するための斜視図である。
【図１３】本発明の第１の実施の形態であって、図１１に対応し、玉計数装置のシャッタ機構において、一方のレーンを開状態とし、他方のレーンを閉状態とした斜視図である。
【図１４】本発明の第１の実施の形態であって、玉計数装置のシャッタ機構において、閉状態を説明するための正面図である。
【図１５】本発明の第１の実施の形態であって、図１４に対応し、玉計数装置のシャッタ機構において、開状態を説明するための正面図である。
【図１６】本発明の第１の実施の形態であって、図１４に対応し、玉計数装置のシャッタ機構において、一方のレーンを開状態とし、他方のレーンを閉状態とした正面図である。
【図１７】本発明の第１の実施の形態であって、玉計数装置のシャッタ機構において、閉状態を説明するための側面図である。
【図１８】本発明の第１の実施の形態であって、玉計数装置のシャッタ機構において、開状態を説明するための側面図である。
【図１９】本発明の第１の実施の形態であって、玉計数装置のシャッタ機構において、一方のレーンを開状態とし、他方のレーンを閉状態とした側面図である。
【図２０】本発明の第１の実施の形態であって、本体取付枠に対するケースの取り付け状体を説明するための分解斜視図である。
【図２１】本発明の第１の実施の形態であって、図２０に対応し、ケースの斜視図である。
【図２２】本発明の第１の実施の形態であって、玉計数装置の概略を説明するための説明図である。
【図２３】本発明の第１の実施の形態であって、玉計数装置の動作を説明するための図表である。
【図２４】本発明の第１の実施の形態であって、玉計数装置の玉計数制御手段の概要を説明するためのブロック図である。
【図２５】本発明の第１の実施の形態であって、玉計数装置の動作を説明するためのフローチャートである。
【図２６】本発明の第１の実施の形態であって、図２５に続くフローチャートである。
【図２７】本発明の第１の実施の形態であって、玉貸し機本体と本体取付枠との関係を説明するための分解斜視図である。
【図２８】本発明の第１の実施の形態であって、玉貸し機本体の斜面部と本体取付枠の玉排出口との関係を説明するための側面図である。
【図２９】本発明の第１の実施の形態であって、図２８に対応し、玉貸し機本体を本体取付枠から引き離した状態の側面図である。
【図３０】本発明の第１の実施の形態であって、図２９に対応し、玉貸し機本体を本体取付枠から更に引き離した状態の側面図である。
【発明を実施するための形態】
【００２４】
（景品交換システム10）
図１及び図２中、10は、遊技場の景品交換システムである。
景品交換システム10は、大別すると、次のパーツから構成されている。なお、次の（１）〜（８）については後述する。
（１）遊技機20
（２）台間玉貸し機30
（３）遊技カード40
（４）所有価値管理装置50
（５）景品交換端末60
（６）ＰＯＳレジ端末70
（７）中継システム80
（８）預かり金返却機90
なお、景品交換システム10のパーツとして、上記した（１）〜（８）を例示したが、これに限定されず、最小限のパーツとしては（１）〜（５）でも足りる。
【００２５】
（遊技機20）
遊技機20は、パチンコ球等の遊技玉Ｂ（図１１参照）を使用して遊技を実行可能なものであり、例えばパチンコ機である。
遊技機20は、遊技店内に配置され、図２に示すように、複数台列定され、遊技島21を構成している。
ここで、「遊技玉Ｂ」として、「玉」（パチンコ球）を例示したが、これに限定されない。
ここで、「遊技機20」として、「パチンコ機」を例示したが、これに限定されず、図示しないが、例えば遊技玉Ｂを用いた「スロットマシン」でもよい。
【００２６】
（台間玉貸し機30）
台間玉貸し機30は、図１及び図２に示すように、遊技機20に隣接して配置されるとともに、当該遊技機20に対応付けられ、当該遊技機20に遊技玉Ｂを貸し出すものである。
台間玉貸し機30は、図３〜図６及び図２４に示すように、大別すると、次のパーツを備える。
なお、次の（１）〜（６）については後述する。
（１）玉貸し機本体100
（２）本体取付枠200
（３）玉受け皿300
（４）玉計数装置400
（５）ロック装置500
（６）玉計数制御手段800
なお、台間玉貸し機30のパーツは、上記した（１）〜（６）に限定されない。
【００２７】
（遊技カード40）
遊技カード40は、ＩＣカードや磁気カード等のカード類から構成され、例えば台間玉貸し機30等において使用可能である。
遊技カード40には、カード情報が記録されている。カード情報としては、遊技カード40を所有する遊技者が所有する遊技玉Ｂの所有価値、すなわち後述する所有価値管理装置50に記憶された「持ち玉」及び「貯玉」の数量に関する情報に関連付けられている。
ここで、「持ち玉」及び「貯玉」は、台間玉貸し機30の図３を用いて後述する玉計数装置400により計数した玉数であり、「持ち玉」は当日分をいい、貯玉」は前日以前の分をいう。
ここで、「遊技カード40」として、「カード状」のものを例示するが、これに限定されず、例えば「コイン状」のものでもよい。
【００２８】
遊技カード40には、次の種類がある。
（１）会員カード
会員カードは、遊技客のうち、会員に対して発行され、カード情報として、「会員番号」及び「暗証番号」が記憶されている。
ここで、「会員情報」としては、「会員番号」、「暗証番号」を例示するが、これに限定されず、「持ち玉」及び「貯玉」の数量に関する情報を含んでいてもよい。
（２）一般カード（遊技客用、非会員カード）
一般カードは、遊技客のうち、非会員（ビジター）に対して発行され、非会員が遊技に用いるものであり、当該一般カードには固有のカード番号が記録される。
【００２９】
（３）ワゴンサービス用カード（店員用）
ワゴンサービス用カードは、店員用のものであり、後述するＰＯＳレジ端末70に挿入して使用する。ワゴンサービス用カードには、店員情報及び暗証番号が記憶され、ＰＯＳレジ端末70に挿入し、暗証番号を入力すると、当日の景品交換データ71が出力される。
ここで、「ワゴンサービス」は、店員が遊技場内に設定された遊技台を巡回し、ドリンクやフード等の景品を遊技客に直接、提供するサービスをいう。
【００３０】
（所有価値管理装置50）
所有価値管理装置50は、図１及び図２に示すように、台間玉貸し機30に接続され、遊技カード40に記憶された会員情報と前記貯媒体とを関連付けて記憶可能なものである。
所有価値管理装置50は、店内の事務所に設定され、後述する中継システム80を介して、台間玉貸し機30、景品交換端末60、ＰＯＳレジ端末70及び預かり金返却機90に有線ＬＡＮ或いは無線ＬＡＮで接続されている。
ここで、「ＬＡＮ」は、「Local Area Network」(構内通信網）の略である。
【００３１】
所有価値管理装置50は、複数種類の「貸与レート」毎に「持ち玉」及び「貯玉」の数量対応付けて記憶可能である。
ここで、貸与レートとしては、４円／１玉、２円／１玉、１円／１玉を例示するが、これに限定されない。
ここで、「貸与レート」とは、遊技球Ｂを遊技者に貸し出す場合、現金に対する遊技球Ｂの交換比率をいい、遊技球Ｂを「景品」に交換する場合の「交換レート」を含む概念である。「貸与レート」と「交換レート」とは、等価でよいし、或いは等価で無くともよい。
【００３２】
所有価値管理装置50は、図１に示すように、次のパーツから構成されている。なお、次の（１）〜（３）については後述する。
（１）システム管理サーバー51
（２）会員情報管理サーバー52
（３）持ち玉情報管理サーバー53
なお、所有価値管理装置50のパーツは、上記（１）〜（３）に限定されず、「持ち玉情報管理サーバー」は例えば「持ちメダル情報管理サーバー」という名称でもよい。
【００３３】
（システム管理サーバー51）
システム管理サーバー51は、遊技店内に設置された各種の機器の全体の運用を制御及び管理するものであり、記憶装置54を有し、当該記憶装置54内には各種のデータベースが構築され、運用データや運用履歴が記憶されている。
運用データとしては、遊技島毎の貸与レートなどが記憶されている。
運用履歴としては、会員毎、台毎の運用履歴が記憶されている。
【００３４】
（会員情報管理サーバー52）
会員情報管理サーバー52は、分散処理を目的として設置されたものであり、システム管理サーバー51の一部の制御・管理を担うものであり、会員情報に特化している。会員情報管理サーバー52は、会員番号及び暗証番号等の会員情報を記憶し、台間玉貸し機30に遊技カード40が挿入された場合に、認証を行い、会員情報とシステム管理サーバー51の記憶装置54内に記憶された会員履歴とを関連付けて管理している。なお、会員情報として、会員番号及び暗証番号を例示したが、これに限定されず、住所、性別、趣味等の個人情報を含んでいてもよい。
【００３５】
（持ち玉情報管理サーバー53）
持ち玉情報管理サーバー53は、分散処理を目的として設置されたものであり、システム管理サーバー51の一部の制御・管理を担うものであり、持ち玉情報、すなわち当日の貯玉に特化している。持ち玉情報は、閉店後、システム管理サーバー51による日時更新処理により、営業日付が更新されると、前日以前の狭義の貯玉に関する貯玉情報として、システム管理サーバー51の記憶装置54内に記憶される。
【００３６】
（景品交換端末60）
景品交換端末60は、図１に示すように、所有価値管理装置50と通信が可能であり、台間玉貸し機30からの景品交換要求に応じ、当該景品交換要求に対応した景品の景品交換価値を、前記所有価値管理装置(50)に記憶された前記貯媒体から引き落とすものである。
ここで、「景品交換端末60」として、「ワゴンサービス端末」を例示するが、これに限定されず、専用機でなく、「スマートフォン」、Wi-Fi（ワイファイ）等の無線ＬＡＮの機能を有する「タブレット型コンピュータ」等の汎用機でもよい。
【００３７】
（ＰＯＳレジ端末70）
ＰＯＳレジ端末70は、図１に示すように、景品交換端末60と通信が可能であり、いわゆるＰＯＳシステムを利用したレジ機能を有する端末である。
景品交換端末60からのワゴンサービスに関する注文や引落し等のワゴンサービス情報は、無線ＬＡＮ（Wi-Fi）を通じて、ＰＯＳレジ端末70に送信され、ＰＯＳレジ端末70側で実行及び記憶される。ＰＯＳレジ端末70においては、先に説明したように、店員用のワゴンサービス用カードをＰＯＳレジ端末70に挿入し、暗証番号を入力することで、当日の景品交換データ71を一括して出力できる。
【００３８】
（中継システム80）
中継システム80は、図２に示すように、遊技機20と対応付けられた各台間玉貸し機30、所有価値管理装置50、預かり金返却機90を相互に接続するものである。なお、図１に示すように、景品交換端末60、ＰＯＳレジ端末70も、中継システム80を介して接続されているほか、所有価値管理装置50を構成するシステム管理サーバー51、会員情報管理サーバー52、持ち玉情報管理サーバー53も接続されている。
【００３９】
中継システム80は、ハブ81を中心に構成され、ハブ81と各台間玉貸し機30、所有価値管理装置50、預かり金返却機90とはＬＡＮケーブル82を用いて接続されている。
ここで、「ハブ82」とは、複数の端末機器間で相互のデータのやりとりを可能にするネットワーク、ＬＡＮを構成するための装置である。
「ＬＡＮ」は、「Local Area Network」(構内通信網）の略である。
なお、ＬＡＮケーブル82を使用して接続したが、これに限定されず、無線ルータを使用し、無線ＬＡＮ（Wi-Fi）してもよい。
【００４０】
（預かり金返却機90）
預かり金返却機90は、遊技場内に設置され、中継システム80を介して所有価値管理装置50に接続され、遊技残金のあるコイン類やカード類を投入し、現金を返却するものである。
【００４１】
（玉貸し機本体100）
玉貸し機本体100は、主として遊技玉Ｂの貸し出しを実行するものである。
玉貸し機本体100には、図３、図４及び図２７に示すように、大別すると、次の各部を備える。
なお、次の（１）〜（１０）については後述する。
（１）状態表示ランプ101
（２）紙幣挿入口102
（３）紙幣挿入可ランプ103
（４）運用操作・表示部104
（５）玉出しスイッチ105
（６）貸出ノズル106
（７）カード挿入口107
（８）カード管理ユニット110
（９）玉導入口120
（１０）背面凸部130
なお、玉貸し機本体100の各部は、上記した（１）〜（１０）に限定されない。
【００４２】
（本体取付枠200）
本体取付枠200は、金属製で、図２〜図６に示すように、玉貸し機本体100を遊技島21の構造枠等に取り付けるものである。
本体取付枠200には、図５、図６及び図２０に示すように、大別すると、次の各部から構成されている。
なお、本体取付枠200の各部は、次の（１）〜（５）に限定されない。
（１）枠背面部210
枠背面部210は、図５及び図６に示すように、本体取付枠200の背面を塞ぐものである。
【００４３】
（２）枠上部211
枠上部211は、図５及び図６に示すように、枠背面部210の上端部から本体取付枠200の上面に沿って略水平に延びるものである。
（３）枠底部212
枠底部212は、図５、図６及び図２０に示すように、枠上部211と上下に対向し、枠背面部210の高さの途中から本体取付枠200の下面に沿って略水平に延びるものである。
【００４４】
（４）枠側部213
枠側部213は、図５及び図６に示すように、枠背面部210の幅方向の両端部から、本体取付枠200の側面に沿って略水平に途中迄延び、左右方向に対向する。
（５）装置収納部220
装置収納部220は、図５、図６及び図２０に示すように、枠底部212の下側に位置し、後述する玉計数装置400を収納するものである。装置収納部220は、前面側、すなわち遊技者と対向する側が開放した箱形に形成されている。
【００４５】
本体取付枠200には、図５、図６、図２０及び図２７に示すように、大別すると、次の各部を備える。
なお、次の（１）〜（８）については後述する。
（１）玉補給口230
（２）玉落下口240
（３）ロック解除穴250
（４）玉排出口260
（５）取付片270
（６）電源ユニット280
（７）固定ネジ600
（８）ケース700
なお、本体取付枠200の各部は、上記した（１）〜（８）に限定されない。
【００４６】
（玉受け皿300）
玉受け皿300は、図２及び図３に示すように、遊技機20から排出される遊技玉Ｂを受け入れるものである。
玉受け皿300は、図７及び図８に示すように、皿状に形成され、受け入れた遊技玉Ｂを後述する玉計数装置400に向かって流下させる玉導出部310を設けている。玉導出部310は、角筒状に形成され、玉計数装置400に向かって延びている。
【００４７】
（玉計数装置400）
玉計数装置400は、図３、図５及び図１１に示すように、玉受け皿300から排出された遊技玉Ｂを計数するものである。
玉計数装置400は、図３〜図５に示すように、本体取付枠200の装置収納部220内に一部が収納され、他の一部が装置収納部220から突出し、玉受け皿300の玉導出部310に接続される。
【００４８】
玉計数装置400の上面には、図９及び図１０に示すように、図２０を用いて後述する固定ネジ600がねじ込むネジ受部401を設けている。ネジ受部401には、図２０を用いて後述するケース700に代えて、玉計数装置400を装置収納部220内に収納した状態において、後述する取付片270を介して固定ネジ600をねじ込むことで、玉計数装置400が本体取付枠200に対して固定される。
【００４９】
玉計数装置400には、図９に示すように、ネジ受部401の後方に、後述するロック装置500のロック状態を解除可能なロック解除片402を設けている。ロック解除片402は、玉計数装置400を本体取付枠200の装置収納部220に固定した状態において、枠底部212に設けた後述するロック解除穴250を通して操作されることで、ロック装置500のロック状態が解除される。
【００５０】
玉計数装置400は、図１１及び図２２に示すように、大別すると、次のパーツを備える。
なお、次の（１）〜（４）については後述する。
（１）玉通路410
（２）玉検出部420
（３）シャッタ機構430
（４）玉計数部440
なお、玉計数装置400のパーツは、上記した（１）〜（４）に限定されない。
【００５１】
（ロック装置500）
ロック装置500は、図７及び図８に示すように、玉受け皿300と玉計数装置400とを互いに連結状態にロックするものである。ロック装置500によりロックした状態において、玉受け皿300の玉導出部310と、玉計数装置400の後述する玉通路410とが連通する。
玉受け皿300に受け入れた遊技玉Ｂは、玉通路410を通って玉通路410を流下する。
【００５２】
ロック装置500は、大別すると、図７及び図８に示すように、次の各部から構成される。
なお、ロック装置500の各部は、次の（１）及び（２）に限定されない。
（１）ロック雄形部510
ロック雄形部510は、玉受け皿300の玉導出部310の先端部に位置し、玉計数装置400に向かって片状に突出する。
（２）ロック雌形部520
ロック雌形部520は、玉計数装置400に穴状に形成され、ロック雄形部510が挿入されると、当該ロック雌形部520の内部にロックする。ロック状態は、玉計数装置400のロック解除片402の操作により解除される。
【００５３】
（玉計数制御手段800）
玉計数制御手段800は、図２４に示すように、玉計数装置400を制御するものである。
玉計数制御手段800は、後述する玉検出センサ422、シャッタ機構430及び玉計数部440を同じく後述するレーン411,412毎に独立させて制御している。
玉計数制御手段800は、図３〜図６に示すように、本体取付枠200の枠背面部210の背面に、後述する電源ユニット280とともに取り付けられる。
【００５４】
玉計数制御手段800の入力段には、図２４に示すように、玉計数部440の後述する玉検出センサ422、玉計数部440の後述する第１センサ441及び第２センサ442がそれぞれ接続されている。玉計数制御手段800の出力段には、シャッタ機構430の後述する駆動源460が接続されている。
具体的には、玉計数装置400には、図示しないが、コネクタ基板を内蔵し、当該コネクタ基板に玉検出センサ422、第１センサ441、第２センサ442及び駆動源460等のハーネスを接続する。コネクタ基板は、本体取付枠200の枠背面部210の背面に取り付けられた玉計数制御手段800である背面基板へ接続される。
【００５５】
玉計数制御手段800は、図示しないが、ＣＰＵを中心に構成され、ＲＯＭ、ＲＡＭ、Ｉ／Ｏポート等を備えたマイクロコンピュータにより構成される。ＣＰＵは、ＲＯＭ等の記憶部に記憶される各種のプログラム及びデータを読み込むことで、玉計数制御手段800として機能する。
玉計数制御手段800には、図２４に示すように、大別すると、次の手段を備える。
なお、次の（１）及び（２）については後述する。
（１）シャッタ駆動制御手段810
（２）玉数加減算手段820
なお、玉計数制御手段800の手段は、上記した（１）及び（２）に限定されない。
【００５６】
（状態表示ランプ101）
状態表示ランプ101は、図３〜図６に示すように、玉貸し機本体100の前面の上部に位置し、当該玉貸し機本体100の運用状態をランプの色、点灯、点滅の組合せで知られるものである。
【００５７】
（紙幣挿入口102）
紙幣挿入口102は、図３〜図６に示すように、状態表示ランプ101の下側に位置し、図示しないが、紙幣（例えば千円、二千円、五千円、一万円）を玉貸し機本体100内に挿入するための挿入口である。
【００５８】
（紙幣挿入可ランプ103）
紙幣挿入可ランプ103は、図３〜図６に示すように、紙幣挿入口102の直上に位置し、紙幣挿入の可／不可を点灯、消灯で知らせるものである。
【００５９】
（運用操作・表示部104）
運用操作・表示部104は、図３〜図６に示すように、紙幣挿入口102の下側に位置し、玉貸し機本体100の運用状態を各種画面で表示するものであり、例えば液晶ディスプレイを用いたタッチパネルから構成されている。
【００６０】
（玉出しスイッチ105）
玉出しスイッチ105は、図３〜図６に示すように、運用操作・表示部104の下側に位置し、後述する貸玉ノズル106を介して遊技機20に対し、遊技玉Ｂを貸し出すための操作を行うものである。
【００６１】
（貸出ノズル106）
貸玉ノズル106は、図３〜図６に示すように、玉出しスイッチ105の下側に位置し、遊技機20の上皿に向かって延び、遊技玉Ｂを貸玉として遊技機20に供給するためのものである。
【００６２】
（カード挿入口107）
カード挿入口107は、図３〜図６に示すように、玉貸し機本体100の前面の下部に位置し、遊技カード40を玉貸し機本体100内に挿入するための挿入口である。
【００６３】
（カード管理ユニット110）
カード管理ユニット110は、図５及び図６に示すように、カード挿入口107の奥側に位置し、当該カード挿入口107から挿入された遊技カード40にカード情報を読み取るためのものである。カード管理ユニット110は、後述する背面凸部130の内部に少なくとも一部が内蔵ないしは収納されている。
【００６４】
（玉導入口120）
玉導入口120は、図２７に示すように、玉貸し機本体100の背面の上部に位置し、本体取付枠200の後述する玉補給口230に連通し、当該玉補給口230から補給される遊技玉Ｂを、玉貸し機本体100内に導入するためのものである。
【００６５】
（背面凸部130）
背面凸部130は、図５、図６及び図２７に示すように、玉補給口230の下側に位置し、枠背面部210に向かって突出するものである。背面凸部130は、カード挿入口107の奥側に位置するカード管理ユニット110の少なくとも一部が内蔵ないしは収納される。
【００６６】
背面凸部130には、図５、図６及び図２７に示すように、次の各部を備える。
（１）傾斜部131
傾斜部131は、図５、図６及び図２７に示すように、背面凸部130の上面に位置し、本体取付枠200の枠背面部210に向かって下り傾斜し、玉補給口230からこぼれ落ちた遊技玉Ｂを受け止め、枠背面部210に向かって誘導するものである。
傾斜部131は、その傾斜角度を、例えば２〜３度に設定している。
なお、傾斜部131の傾斜角度として、２〜３度を例示したが、これに限定されず、遊技玉Ｂを玉排出口260に向かって誘導できれば足り、例えば０．１〜０．９度、或いは３度を超える値に設定してもよい。
【００６７】
（玉補給口230）
玉補給口230は、図２７に示すように、枠背面部210の上部に位置し、玉貸し機本体100に遊技玉Ｂを補給するものである。
玉補給口230には、遊技玉Ｂを補給するための補給パイプ231が接続されている。玉補給口230は、玉貸し機本体100を本体取付枠200に取り付けた状態において、玉貸し機本体100の背面の上部に位置する玉導入口120に連通し、補給パイプ231を介して補給される遊技玉Ｂが玉貸し機本体100内に導入される。
【００６８】
（玉落下口240）
玉落下口240は、図２０及び図２７に示すように、枠上部211に位置し、当該枠上部211に落下した遊技玉Ｂが落下可能に形成させている。玉落下口240は、枠背面部210側に位置し、枠上部211を上下に貫通した方形に形成されている。
なお、玉落下口240を、方形に形成したが、これに限定されず、遊技玉Ｂが落下可能なものであればよく、図示しないが、例えば円形や長円形に形成してもよい。
【００６９】
玉落下口240には、玉貸し機本体100を本体取付枠200に取り外した際に、玉貸し機本体100側の玉導入口120や、本体取付枠200側の玉補給口230から落下し、枠上部211に受け止められた遊技玉Ｂが落下する。
すなわち、枠上部211に受け止められた遊技玉Ｂは、玉貸し機本体100を本体取付枠200に再度、取り付ける際に、玉貸し機本体100の背面に押され、枠背面部210側に位置する玉落下口240から落下し、本体取付枠200の外部に排出される。
【００７０】
（ロック解除穴250）
ロック解除穴250は、図２０に示すように、枠底部212に位置し、枠上部211を上下に貫通した方形に形成されている。
ロック解除穴250は、装置収納部220に連通し、当該装置収納部220に玉計数装置400を一部収納し、固定した状態において、玉計数装置400のロック解除片402に臨む。
【００７１】
なお、ロック解除穴250を、方形に形成したが、これに限定されず、当該ロック解除穴250を通してロック解除片402の操作が可能であればよく、図示しないが、例えば円形や長円形に形成してもよい。
ロック解除穴250は、玉貸し機本体100を本体取付枠200に取り付けた状態においては、玉貸し機本体100の底面により塞がれる。玉貸し機本体100を本体取付枠200から取り外すると、ロック解除穴250の上面が開放される。この状態において、ロック解除穴250を通し、玉計数装置400のロック解除片402を操作することで、ロック装置500のロック状態が解除され、玉受け皿300の取り外しが可能となる。
【００７２】
（玉排出口260）
玉排出口260は、図２７及び図３０に示すように、枠背面部210の高さの途中に位置し、傾斜部131により誘導された遊技玉Ｂを本体取付枠200の外部に排出するためのものである。
具体的には、玉排出口260は、図２７に示すように、枠背面部210をその厚み方向に貫通し、枠背面部210の高さの途中から枠底部212に至り、高さ方向に長い長方形に形成されている。玉排出口260は、玉貸し機本体100の背面凸部130がはまり込む大きさに形成されている。
玉排出口260の下端部には、枠背面部210の下端部210aが位置し、枠底部212の背面側が塞がれている。下端部210aの高さは、例えば図２９に示す遊技玉Ｂの直径ａ（例えば１１mm程度）に略等しく設定されている。
なお、下端部210aの高さとして、遊技玉Ｂの直径ａを例示したが、これに限定されず、枠底部212の背面側から遊技玉Ｂが本体取付枠200の外部にこぼれ落ちない程度の高さであればよい。
【００７３】
玉排出口260には、図３及び図４に示すように、玉貸し機本体100を本体取付枠200に装着した際に、背面凸部130がはまり込み、枠背面部210から奥側に向かって突出する。
なお、玉排出口260を、玉貸し機本体100の背面凸部130がはまり込む大きさに形成したが、これに限定されず、遊技玉Ｂが通過可能なものであればよく、図示しないが、例えば円形や、長方形以外の多角形に形成してもよい。
【００７４】
玉排出口260は、図２８に示すように、玉貸し機本体100を本体取付枠200に装着した状態においては、傾斜部131により誘導された遊技玉Ｂが通過不能に形成されている。
これに対し、玉排出口260は、図３０に示すように、玉貸し機本体100を本体取付枠200から外した際に、傾斜部131により誘導された遊技玉Ｂが通過可能に形成されている。
【００７５】
換言すると、玉排出口260は、図２９に示すように、玉貸し機本体100の背面と枠背面部210との間の隙間Ｇが、遊技玉Ｂの直径ａ未満の場合（隙間の間隔ｂ＜ａ）に、傾斜部131により誘導された遊技玉Ｂが通過不能である。
これに対し、隙間Ｇが、図３０に示すように、遊技玉Ｂの直径ａ以上の場合（隙間の間隔ｂ＞＝ａ）に、傾斜部131により誘導された遊技玉Ｂが通過可能となる。
【００７６】
（取付片270）
取付片270は、図２０に示すように、枠底部212の手前側、すなわち遊技者と対向する側に位置し、装置収納部220に玉計数装置400を一部収納した状態において、後述する固定ネジ600を使用して玉計数装置400を固定するためのものである。
【００７７】
取付片270は、図２０に示すように、大別すると、次の各部を備える。
（１）固定穴271
固定穴271は、取付片270の自由端部側に位置し、当該取付片270を円形に貫通する。
固定穴271は、玉計数装置400のネジ受部401と整合させた位置において、当該ネジ受部401に固定ネジ600をねじ込むことで固定可能である。固定穴271を使用して玉計数装置400を固定した場合には、装置収納部220からの玉計数装置400の突出量が最大となる。
【００７８】
（２）調整穴272
調整穴272は、図２０に示すように、固定穴271に隣接して位置し、取付片270を貫通するとともに、装置収納部220に対する玉計数装置400の挿入方向に沿って長い長円形に形成されている。
調整穴272は、玉計数装置400のネジ受部401と整合させた位置において、当該ネジ受部401に固定ネジ600をねじ込むことで固定可能である。
【００７９】
調整穴272は、長円形に形成していることから、その長手方向に沿って固定ネジ600の位置を相対的に移動可能であり、装置収納部220からの玉計数装置400の突出量が調整可能である。
なお、調整穴272を、取付片270の根もと側に位置させ、固定穴271を、取付片270の自由端部側に位置させたが、これに限定されず、図示しないが、調整穴272を取付片270の自由端部側に位置させ、固定穴271を、取付片270の根もと側に位置させてもよい。
【００８０】
（電源ユニット280）
電源ユニット280は、図３〜図６に示すように、枠背面部210の背面に取り付けられ、玉貸し機本体100に電源を供給するためのユニットである。
【００８１】
（固定ネジ600）
固定ネジ600は、図２０に示すように、取付片270を介して玉計数装置400、或いは後述するケース700にねじ込むことで、玉計数装置400或いはケース700を本体取付枠200に対して固定するものである。
【００８２】
（ケース700）
ケース700は、図２０に示すように、装置収納部220の手前側、すなわち遊技者と対向する側の開放面を塞ぐものである。
ケース700には、その上面に、取付片270を介して固定ネジ600をねじ込むネジ受部701を設けている。
ケース700は、台間玉貸し機30の搬送時や、玉計数装置400を使用しない場合に、装置収納部220の開放面に合わせてはめ込む。その後、取付片270の固定穴271を通して、固定ネジ600をネジ受部701にねじ込むことで、装置収納部220の開放面に固定する。
玉計数装置400を装着する際には、ケース700を取り外し、当該ケース700に代えて、玉計数装置400を装置収納部220に固定する。
【００８３】
（玉通路410）
玉通路410は、図２２に示すように、玉受け皿300から排出された遊技玉Ｂが流下するものである。
玉通路410には、図１１に示すように、遊技玉Ｂが個別に流下可能な複数列、例えば２列に分かれた第１レーン411及び第２レーン412を設けている。
【００８４】
ここで、複数列のレーン411,412として、２列を例示したが、これに限定されず、図示しないが、１列でもよいし、或いは３列以上としてもよい。
各レーン411,412には、図１１及び図２２に示すように、玉検出部420、シャッタ機構430及び玉計数部440を独立して設けている。
【００８５】
（玉検出部420）
玉検出部420は、図２２及び図２４に示すように、玉計数制御手段800に接続され、玉通路410を流下する遊技玉Ｂを検出するものである。
玉検出センサ422は、複数列のレーン411,412に個別に設けられている。
【００８６】
各玉検出部420には、図２２に示すように、次のパーツから構成されている。
（１）玉検出片421
玉検出片421は、図２２に示すように、レバー状に構成され、その上端部が軸止され、各レーン411,412の底に向かって垂れ下がっている。
玉検出片421は、各レーン411,412を流下する遊技玉Ｂに押されて、上部の軸を中心に傾動する。
（２）玉検出センサ422
玉検出センサ422は、図２２及び図２４に示すように、玉計数制御手段800に接続され、玉検出片421の傾動を検知し、検出信号を出力するものである。
なお、玉検出部420として、玉検出片421付きの玉検出センサ422を例示したが、これに限定されず、遊技玉Ｂの流下を検出できれば足り、玉検出片421を省略し、光学的や磁気的な通過センサを用いてもよい。
【００８７】
（シャッタ機構430）
シャッタ機構430は、図１１〜図１９及び図２２に示すように、玉通路410において、玉検出部420の下流側に位置し、玉通路410において流下する遊技玉Ｂの流下を阻止し、玉検出部420からの検出信号の入力を条件に、図１２に示すように、玉通路410を開放可能なものである。
【００８８】
シャッタ機構430は、図１１〜図１９に示すように、大別すると、次のパーツを備える。
なお、次の（１）〜（５）については後述する。
（１）シャッタ本体450
（２）駆動源460
（３）リンク部470
（４）機構枠480
（５）付勢部490
なお、シャッタ機構430のパーツは、上記した（１）〜（５）に限定されない。
【００８９】
（玉計数部440）
玉計数部440は、図２２に示すように、玉通路410において、シャッタ機構430の下流側に位置し、玉通路410を流下する遊技玉Ｂを計数するものである。
玉計数部440は、図２２に示すように、次のパーツから構成されている。
（１）第１センサ441
第１センサ441は、当該第１センサ441を通過する遊技玉Ｂを１個ずつ検知するものである。
（２）第２センサ442
第２センサ442は、図２２に示すように、第１センサ441の下流側に位置し、第１センサ441と同様に、当該第２センサ442を通過する遊技玉Ｂを１個ずつ検知するものである。
【００９０】
（シャッタ本体450）
シャッタ本体450は、図１１〜図１９に示すように、玉通路410の底に対して昇降可能に保持され、玉通路410を流下する遊技玉Ｂの流下を阻止するものである。
シャッタ本体450は、図１１に示すように、大別すると、次の各部を備える。
（１）突入部451,452
突入部451,452は、図１１〜図１９に示すように、各レーン411,412にそれぞれ突入し、当該レーン411,412を流下する遊技玉Ｂの流下を独立して阻止するものである。
突入部451,452は、複数個、例えば第１レーン411に位置する第１突入部451と、第２レーン412に位置する第２突入部452から構成されている。
（２）湾曲部453
湾曲部453は、図１１〜図１６に示すように、各突入部451,452において、遊技玉Ｂの流下する方向の上流側に位置し、遊技玉Ｂの表面に沿うようにそれぞれ湾曲している。
【００９１】
（駆動源460）
駆動源460は、図１１〜図１６に示すように、リンク部470に連結され、図１１、図１２、図１４及び図１７に示すように、各レーン411,412に対して離隔する方向に突入部451,452を移動させることで、複数の各レーン411,412の全てを開放可能な共通するものである。
駆動源460は、ソレノイドから構成され、そのプランジャ461の先端部を後述するリンク部470の一端部472に軸止している。
なお、駆動源460として、ソレノイドを例示したが、これに限定されず、図示しないが、モータから構成してもよい。
【００９２】
（リンク部470）
リンク部470は、図１１〜図１６に示すように、複数の突入部451,452を相互に連結するものである。リンク部470は、その長さの途中に設けられた軸部471が軸止され、一端部472が、駆動源460のプランジャ461の先端部に軸止されている。
リンク部470は、軸部471を挟んで一端部472と反対側に位置する他端部473が、第１突入部451と第２突入部452とに個別に軸止されている。
【００９３】
リンク部470は、ソレノイドである駆動源460の消磁状態（「非駆動状態」ともいう。）において、図１１、図１４及び図１７に示すように、各突入部451,452を対応する各レーン411,412の底に接近する方向に下降させ、各レーン411,412を流下する遊技玉Ｂの流下を阻止し、この状態を「閉状態」ともいう。
これに対し、ソレノイドである駆動源460を励磁（「駆動」或いは「駆動状態」ともいう。）すると、リンク部470が軸部471を中心に回転し、図１２、図１５及び図１８に示すように、各突入部451,452を対応する各レーン411,412の底から浮上する方向に上昇させ、各レーン411,412を流下する遊技玉Ｂの流下を許容し、この状態を「開状態」ともいう。
【００９４】
（機構枠480）
機構枠480は、図１１〜図１９に示すように、各突入部451,452を個別に昇降可能に保持するためのものである。
【００９５】
（付勢部490）
付勢部490は、図１１〜図１３及び図１７〜１９に示すように、複数の突入部451,452を各レーン411,412に対して突入する方向、すなわち各レーン411,412の底に接近する方向に、独立して付勢するものであり、複数個、例えば第１バネ491と第２バネ492との２個のコイルバネから構成されている。
【００９６】
第１バネ491と第２バネ492とは、機構枠480内に独立して配置され、第１突入部451と第２突入部452との間で圧縮され、それらの復元力により、第１突入部451と第２突入部452とを独立して付勢している。
なお、付勢部490として、２個のコイルバネを例示したが、コイルバネに限定されず、板バネを用いてもよく、叉、２個に限定されず、共通して１個設けたり、或いは３個以上、設けてもよい。
【００９７】
（シャッタ駆動制御手段810）
シャッタ駆動制御手段810は、玉検出センサ422による遊技玉Ｂの検出を条件に、駆動源460を駆動させ、シャッタ機構430を閉状態から開状態にするものである。
すなわち、玉計数制御手段800は、図２４及び図２５に示すように、玉検出センサ422による遊技玉Ｂの検出後、予め設定された時間の経過後、駆動源460の駆動を停止させるタイマー手段811を備えている。
ここで、「予め設定された時間」は、玉検出センサ422による検出された遊技玉Ｂが、開状態のシャッタ機構430を通過するまでの時間であり、当該時間をタイマー手段811により確保している。
【００９８】
（玉数加減算手段820）
玉数加減算手段820は、図２５に示すように、第１センサ441により遊技玉Ｂを検出後、第２センサ442により遊技玉Ｂを検出したことを条件に、図２３及び図２５に示すように、玉数を加算し、第２センサ442により遊技玉Ｂを検出後、第１センサ441により遊技玉Ｂを検出したことを条件に、図２３及び図２６に示すように、玉数を減算するものである。
【００９９】
（図１１〜図１９を用いたシャッタ機構430の動作の説明）
図１１〜図１９を用いて、シャッタ機構430の動作について説明する。
シャッタ機構430の動作には、次の３態様がある。
（１）両突入部451,452の閉状態
両突入部451,452の閉状態は、駆動源460が非駆動状態にあり、図１１、図１４及び図１７に示すように、両突入部451,452が共に下降し、両レーン411,412を流下する遊技玉Ｂの流下を阻止する。
【０１００】
（２）両突入部451,452の開状態
両突入部451,452の開状態は、駆動源460が駆動状態にあり、図１２、図１５及び図１８に示すように、両突入部451,452が共に上昇し、両レーン411,412を流下する遊技玉Ｂの流下を許容する。
【０１０１】
（３）両突入部451,452のうち、一方が閉状態、他方が開状態
両突入部451,452のうち、一方が閉状態、他方が開状態は、駆動源460を駆動状態から非駆動状態に移行した際に、例えば第１レーン411において遊技玉Ｂの玉詰まりが発生した場合である。
このとき、駆動源460を非駆動状態に移行させると、両突入部451,452が共に下降しようとする。
【０１０２】
第２レーン412に位置する第２突入部452は、図１２、図１５及び図１８に示すように、下降し、第２レーン412を流下する遊技玉Ｂの流下を阻止する「閉状態」に移行する。
対して、第１レーン411においては、遊技玉Ｂの玉詰まりが発生していることから、当該第１レーン411に位置する第１突入部451の下端部が、遊技玉Ｂの上端部に当たる。
【０１０３】
このため、第１突入部451の下降が制限され、第１バネ491が圧縮された状態となり、第１突入部451が開状態から閉状態に復帰できなくなる。
すなわち、片側のレーン411,412において遊技玉Ｂの玉詰まりが発生した場合には、片側の突入部451,452が正常に動作しなくなるが、このとき、他の片側の突入部451,452を正常に動作させることで、片側のレーン411,412において玉計数を継続させることができる。
【０１０４】
（図２３を用いた計数の態様の説明）
図２３を用いて、玉検出センサ422、シャッタ本体450、玉計数部440の第１、第２センサ441,442の状態と、計数の態様との関係について説明する。
計数の態様としては、次の態様がある。
（１）第１の態様
第１の態様としては、玉検出センサ422が「オフ」（ＯＦＦ）、シャッタ本体450が「閉状態」、玉計数部440の第１センサ441（Ａ）、第２センサ442（Ｂ）がともに「オフ」（ＯＦＦ）の状態であり、このとき、玉数には変化がない。
【０１０５】
（２）第２の態様
第２の態様としては、玉検出センサ422が「オン」（ＯＮ）に変化し、シャッタ本体450が「閉状態」から「開状態」に変化し、第１センサ441（Ａ）から第２センサ442（Ｂ）の順番に「オン」（ＯＮ）に変化した状態であり、このとき、玉数に「１」が加算される。
（３）第３の態様
第３の態様としては、玉検出センサ422が「オン」（ＯＮ）に変化し、シャッタ本体450が「閉状態」から「開状態」に変化し、第２センサ442（Ｂ）から第１センサ441（Ａ）の順番に「オン」（ＯＮ）に変化した状態であり、このとき、玉数に「１」が減算される。
【０１０６】
（４）第４の態様
第４の態様としては、玉検出センサ422が「オン」（ＯＮ）に変化し、シャッタ本体450が「閉状態」から「開状態」に変化し、第１センサ441（Ａ）のみが「オン」（ＯＮ）に変化し、第２センサ442（Ｂ）が「オフ」（ＯＦＦ）を維持している状態であり、このとき、玉数には変化がない。
（５）第５の態様
第５の態様としては、玉検出センサ422が「オン」（ＯＮ）に変化し、シャッタ本体450が「閉状態」から「開状態」に変化し、第２センサ442（Ｂ）のみが「オン」（ＯＮ）に変化し、第１センサ441（Ａ）が「オフ」（ＯＦＦ）を維持している状態であり、このとき、玉数には変化がない。
【０１０７】
（図２５〜図２７を用いた玉計数装置400の動作の説明）
図２５〜図２７を用いて、玉計数装置400の動作について説明する。
まず、ステップS10に進み、「玉検出センサ422」がオン（ＯＮ）となったか、判定される。判定は、玉計数制御手段800により実行される。
【０１０８】
判定の結果、「玉検出センサ422」がオン（ＯＮ）の場合には、ステップS10から次のステップS11に進む。ステップS11においては、「シャッタ機構430の駆動」、すなわち駆動源460の駆動が実行される。処理は、シャッタ駆動制御手段810により実行される。その結果、シャッタ機構430は、閉状態から開状態に移行し、シャッタ機構430の下流側に位置する第１センサ441及び第２センサ442への遊技玉Ｂの流下が許容される。
【０１０９】
シャッタ機構430の駆動後、ステップS11から次のステップS12に進む。ステップS12においては、「タイマーのセット」が実行される。処理は、タイマー手段811により実行される。
「タイマーのセット」後、ステップS12から次のステップS13に進む。ステップS13においては、「第１センサ441」がオン（ＯＮ）となったか、判定される。判定は、玉計数制御手段800により実行される。
【０１１０】
判定の結果、「第１センサ441」がオン（ＯＮ）の場合には、ステップS13から次のステップS14に進む。ステップS14においては、「第２センサ442」がオン（ＯＮ）となったか、判定される。判定は、玉計数制御手段800により実行される。
判定の結果、「第２センサ442」がオン（ＯＮ）の場合には、ステップS14から次のステップS15に進む。ステップS15においては、「玉数」に「１」が加算される。加算は、玉数加減算手段820により実行される。
【０１１１】
加算後、ステップS15から次のステップS16に進む。ステップS16においては、タイマーのタイムアウトか、判定される。判定は、シャッタ駆動制御手段810により実行される。
判定の結果、タイムアウトしている場合には、ステップS16から次のステップS17に進む。ステップS17においては、「シャッタ機構430の駆動の停止」、すなわち駆動源460の駆動の停止が実行される。処理は、シャッタ駆動制御手段810により実行される。その結果、シャッタ機構430は、開状態から閉状態に移行し、シャッタ機構430の下流側に位置する第１センサ441及び第２センサ442への遊技玉Ｂの流下が阻止される。
「シャッタ機構430の駆動の停止」後、本フローチャートが終了する。
【０１１２】
これに対し、先のステップS16においては、タイムアウトしていない場合には、分岐し、先に説明したステップS13に進み、「第１センサ441」がオン（ＯＮ）となったか、判定される。
【０１１３】
一方、先に説明したステップS10において、判定の結果、「玉検出センサ422」がオン（ＯＮ）とならない場合、すなわち「玉検出センサ422」がオフ（ＯＦＦ）状態を維持する場合には、分岐し、ステップS13に進み、「第１センサ441」がオン（ＯＮ）となったか、判定される。
【０１１４】
また、先に説明したステップS13において、判定の結果、「第１センサ441」がオン（ＯＮ）とならない場合、すなわち「第１センサ441」がオフ（ＯＦＦ）状態を維持する場合には、分岐し、後述する図２６に進む。
【０１１５】
先に説明したステップS14において、判定の結果、「第２センサ442」がオン（ＯＮ）とならない場合、すなわち「第２センサ442」がオフ（ＯＦＦ）状態を維持する場合には、分岐し、先に説明したステップS16においては、タイマーのタイムアウトか、判定される。
すなわち、「第１センサ441」がオン（ＯＮ）となっても、「第２センサ442」がオフ（ＯＦＦ）状態を維持する場合には、ステップS15においては、「玉数」に「１」が加算されない。
【０１１６】
（図２６を用いた図２５に続くフローチャートの説明）
図２６において、まず、ステップS20に進み、「第２センサ442」がオン（ＯＮ）となったか、判定される。判定は、玉計数制御手段800により実行される。
判定の結果、「第２センサ442」がオン（ＯＮ）の場合には、ステップS20から次のステップS21に進む。ステップS21においては、「第１センサ441」がオン（ＯＮ）となったか、判定される。判定は、玉計数制御手段800により実行される。
【０１１７】
判定の結果、「第１センサ441」がオン（ＯＮ）の場合には、ステップS21から次のステップS22に進む。ステップS22においては、「玉数」に「１」が減算される。減算は、玉数加減算手段820により実行される。すなわち、「第２センサ442」がオン（ＯＮ）した後、「第１センサ441」がオン（ＯＮ）となった場合であり、「玉数」を減算することで、不正な計数を防止している。
【０１１８】
減算後、分岐し、先に説明した図２５のステップS16に進み、タイマーのタイムアウトか、判定される。
また、先に説明したステップS20において、判定の結果、「第２センサ442」がオン（ＯＮ）とならない場合、すなわち、「第２センサ442」がオフ（ＯＦＦ）状態を維持する場合には、分岐し、先に説明した図２５のステップS16に進み、タイマーのタイムアウトか、判定される。
同様に、先に説明したステップS21において、判定の結果、「第１センサ441」がオン（ＯＮ）とならない場合、すなわち「第１センサ441」がオフ（ＯＦＦ）状態を維持する場合にも、分岐し、先に説明した図２５のステップS16に進む。
【０１１９】
（図２８〜図３０を用いた傾斜部131と玉排出口260との説明）
図２８〜図３０を用いて、玉貸し機本体100の背面凸部130の上面に形成された傾斜部131と、本体取付枠200の枠背面部210に形成された玉排出口260との関係について説明する。
図２８は、玉貸し機本体100を本体取付枠200に装着した状態である。このとき、図示しないが、玉貸し機本体100の玉導入口120と、本体取付枠200の玉補給口230とが連通し、玉導入口120や玉補給口230から遊技玉Ｂがこぼれ落ちることがない。
【０１２０】
図２９は、玉貸し機本体100を本体取付枠200から取り外す途中の状態である。玉貸し機本体100を取り外すと、玉導入口120と玉補給口230とが離隔し、玉導入口120や玉補給口230から遊技玉Ｂがこぼれ落ちることがある。
こぼれ落ちた遊技玉Ｂは、玉貸し機本体100の背面と、これと対向する本体取付枠200の枠背面部210の前面との間を通って落下し、玉貸し機本体100の背面凸部130の上面に形成された傾斜部131に当たり、受け止められる。
【０１２１】
傾斜部131により受け止められた遊技玉Ｂは、傾斜部131の傾斜ないしは勾配により玉排出口260に向かって転げ落ちる。
このとき、玉貸し機本体100の背面と枠背面部210との間の隙間Ｇが、遊技玉Ｂの直径ａ未満の場合（隙間の間隔ｂ＜ａ）には、図２９に示すように、遊技玉Ｂが玉排出口260の上縁部に当たって、当該玉排出口260を通過不能である。
これに対し、隙間Ｇが、図３０に示すように、遊技玉Ｂの直径ａ以上の場合（隙間の間隔ｂ＞＝ａ）には、傾斜部131により誘導された遊技玉Ｂが玉排出口260を通過可能となる。
【符号の説明】
【０１２２】
10  景品交換システム
20  遊技機（パチンコ機）      21  遊技島
30  台間玉貸し機              40  遊技カード
50  所有価値管理装置
51  システム管理サーバー      52  会員情報管理サーバー
53  持ち玉情報管理サーバー    54  記憶装置
60  景品交換端末
70  ＰＯＳレジ端末            71  景品交換データ
80  中継ユニット
81  ハブ                      82  ＬＡＮケーブル
90  預かり金返却機
100  玉貸し機本体              101  状態表示ランプ
102  紙幣挿入口                103  紙幣挿入可ランプ
104  運用操作・表示部          105  玉出しスイッチ
106  貸出ノズル                107  カード挿入口
110  カード管理ユニット      120  玉導入口
130  背面凸部                  131  傾斜部
200  本体取付枠
210  枠背面部                  210a  下端部
211  枠上部                    212  枠底部
213  枠側部                    220  装置収納部
230  玉補給口                  231  補給パイプ
240  玉落下口                  250  ロック解除穴
260  玉排出口                  270  取付片
271  固定穴                    272  調整穴
280  電源ユニット
300  玉受け皿                  310  玉導出部
400  玉計数装置
401  ネジ受部                  402  ロック解除片
410  玉通路
411  第１レーン                412  第２レーン
420  玉検出部
421  玉検出片                  422  玉検出センサ
430  シャッタ機構              440  玉計数部
441  第１センサ                442  第２センサ
450  シャッタ本体              451  第１突入部
452  第２突入部                453  湾曲部
460  駆動源                    461  プランジャ
470  リンク部                  471  軸部
472  一端部                    473  他端部
480  機構枠                    490  付勢部
491  第１バネ                  492  第２バネ
500  ロック装置
510  ロック雄形部              520  ロック雌形部
600  固定ネジ
700  ケース                    701  ネジ受部
800  玉計数制御手段
810  シャッタ機構駆動制御手段  811  タイマー手段
820  玉数加減算手段
Ｂ  玉                        Ｇ  隙間
ａ  玉の直径                  ｂ  隙間の間隔
【図１】
2019000698.tif 000003
【図２】
2019000698.tif 000004
【図３】
2019000698.tif 000005
【図４】
2019000698.tif 000006
【図５】
2019000698.tif 000007
【図６】
2019000698.tif 000008
【図７】
2019000698.tif 000009
【図８】
2019000698.tif 000010
【図９】
2019000698.tif 000011
【図１０】
2019000698.tif 000012
【図１１】
2019000698.tif 000013
【図１２】
2019000698.tif 000014
【図１３】
2019000698.tif 000015
【図１４】
2019000698.tif 000016
【図１５】
2019000698.tif 000017
【図１６】
2019000698.tif 000018
【図１７】
2019000698.tif 000019
【図１８】
2019000698.tif 000020
【図１９】
2019000698.tif 000021
【図２０】
2019000698.tif 000022
【図２１】
2019000698.tif 000023
【図２２】
2019000698.tif 000024
【図２３】
2019000698.tif 000025
【図２４】
2019000698.tif 000026
【図２５】
2019000698.tif 000027
【図２６】
2019000698.tif 000028
【図２７】
2019000698.tif 000029
【図２８】
2019000698.tif 000030
【図２９】
2019000698.tif 000031
【図３０】
2019000698.tif 000032